(57)【要約】【課題】操作者に対してこれまでにない操作性を提供することができる。【解決手段】表示装置１０は、回動可能な操作軸２１に連結されたノブ３０を備えるロータリスイッチ２０、ノブ３０に連結され、空調装置の設定温度（ロータリスイッチ２０の操作対象の設定値）を表示するディスプレイ５０を備える。また、表示装置１０は、ノブ３０の回動操作に連動してディスプレイ５０に表示される設定温度の数値が増減されるように同ディスプレイ５０の表示態様を変更する制御部６０を備える。【選択図】図２
2015087492.tif 000002
【特許請求の範囲】
【請求項１】
ノブと、
前記ノブの変位を伴う操作によって切り換えられるスイッチと、
前記ノブの操作に連動して変位されるように同ノブに連結され、前記スイッチの切り換えにより制御される制御対象の設定値を表示するディスプレイと、
前記ノブの操作に連動して前記ディスプレイの表示態様を変更する制御部と、を備える、
表示装置。
【請求項２】
前記スイッチは回動可能な操作軸を備えるロータリスイッチであり、
前記制御部は、前記ノブの回動操作に連動して前記ディスプレイの表示態様を変更するものである、
請求項１に記載の表示装置。
【請求項３】
前記ロータリスイッチは前記操作軸を中立位置に自動復帰させる復帰機構を備えている、
請求項２に記載の表示装置。
【請求項４】
前記ディスプレイを覆う意匠パネルが設けられ、
前記意匠パネルには、前記ノブの回動操作に連動して前記ディスプレイが回動する範囲に対応した扇形状の窓が形成されている、
請求項２又は請求項３に記載の表示装置。
【請求項５】
前記ディスプレイは透明液晶ディスプレイである、
請求項１〜請求項４のいずれか一項に記載の表示装置。
【請求項６】
前記制御部は、前記ノブの操作に連動して前記ディスプレイに表示される前記設定値が増減されるように同ディスプレイの表示態様を変更するものである、
請求項１〜請求項５のいずれか一項に記載の表示装置。
【請求項７】
前記透明液晶ディスプレイを第１ディスプレイとし、
前記第１ディスプレイの後側における同第１ディスプレイの中立位置に対応する位置には、第２ディスプレイが固設され、
前記制御部は、前記ノブの操作に連動して、前記第１ディスプレイを非表示にするとともに、増減後の前記設定値が前記第２ディスプレイに表示されるように、これらディスプレイの表示態様をそれぞれ制御する、
請求項５に記載の表示装置。
【請求項８】
前記表示装置は、車載用空調装置の設定温度を表示するものである、
請求項１〜請求項７のいずれか一項に記載の表示装置。
【発明の詳細な説明】
【技術分野】
【０００１】
本発明は、例えば車両用空調装置に適用される表示装置に関する。
【背景技術】
【０００２】
特許文献１には、車載用空調装置の設定温度などを表示する表示装置が開示されている。同文献の表示装置は、設定温度を変更するためのロータリスイッチと、設定温度を表示する液晶ディスプレイと、を備えている。そして、ロータリスイッチが操作されると、これに連動して液晶ディスプレイの表示態様が変更される。このディスプレイは、設定温度の数値の各桁の数字を７つのセグメントにて表示する所謂７セグメントディスプレイである。
【先行技術文献】
【特許文献】
【０００３】
【特許文献１】特開２００８―２９９２４２号公報
【発明の概要】
【発明が解決しようとする課題】
【０００４】
ところで、こうした表示装置においては、液晶ディスプレイの表示態様が変更される際に、設定温度の数値の各桁の数字を構成するセグメントが点灯或いは消灯されるだけであり、変化に乏しく、表示機能が低い。そのため、操作者の注意を惹きにくいものとなっている。
【０００５】
本発明の目的は、表示機能を高めることができる表示装置を提供することにある。
【課題を解決するための手段】
【０００６】
上記目的を達成するための表示装置は、ノブと、前記ノブの変位を伴う操作によって切り換えられるスイッチと、前記ノブの操作に連動して変位されるように同ノブに連結され、前記スイッチの切り換えにより制御される制御対象の設定値を表示するディスプレイと、前記ノブの操作に連動して前記ディスプレイの表示態様を変更する制御部と、を備える。
【０００７】
同構成によれば、操作者が上記制御対象の設定値を変更すべくノブを操作すると、ノブと一体にディスプレイが変位される。また、こうしたノブの操作に連動してディスプレイの表示態様が変更される。このため、操作者は、ディスプレイの設定値の表示が変位され、その後に同ディスプレイの表示態様が変更される様子を視認することができる。
【発明の効果】
【０００８】
本発明によれば、表示機能を高めることができる。
【図面の簡単な説明】
【０００９】
【図１】第１実施形態に係る表示装置の正面図。
【図２】図１の２−２線に沿った断面図。
【図３】図２の３−３線に沿った断面図。
【図４】（ａ）〜（ｄ）は図１に対応する正面図であって、同実施形態の作用を説明する図。
【図５】第２実施形態に係る表示装置の断面図。
【図６】（ａ）〜（ｃ）は、同実施形態におけるノブの操作位置の推移、第１ディスプレイの表示状態の推移、及び第２ディスプレイの表示状態の推移を併せ示すタイミングチャート。
【図７】（ａ）〜（ｄ）は、同実施形態の作用を説明する図。
【発明を実施するための形態】
【００１０】
＜第１実施形態＞
以下、図１〜図４を参照して、表示装置を具体化した第１実施形態について説明する。
図１に示すように、表示装置１０は、車両の空調装置の設定温度を表示するものであり、車室内のインストルメントパネル７１における開口７２内に固定されている。
【００１１】
図２及び図３に示すように、表示装置１０のケース１１は、前面に開口１１ａが形成された箱状をなしている。ケース１１の上記開口１１ａは、意匠パネル１２によって覆われている。
【００１２】
図２に示すように、意匠パネル１２の後面の上部には、支持部材１８が取り付けられている。また、支持部材１８の先端には、基板１３が支持されている。基板１３の前面の下部には、ロータリスイッチ２０が設けられている。ロータリスイッチ２０は、回動可能な操作軸２１を備えており、同操作軸２１にはノブ３０が連結されている。ノブ３０は、操作軸２１の先端に外嵌されて固定された内筒部３１と、同内筒部３１を内包する外筒部３２と、これら筒部３１，３２の先端に設けられた円板状の頂壁３３と、を有している。そして、ノブ３０は、意匠パネル１２に形成された挿通孔１２ｂを通じて同意匠パネル１２よりも前側に突出している。また、ロータリスイッチ２０の内部には、操作軸２１を中立位置に自動復帰させる復帰機構２２が設けられている。復帰機構２２は周知の機構であり、操作軸２１を中立位置に向けて付勢する図示しない付勢部材などによって構成されている。
【００１３】
ノブ３０の外筒部３２の外周面には、扇形板状の第１連結体４１が上方に向けて立設されている。また、ノブ３０の外筒部３２の外周面における第１連結体４１の後側には、上方に延びる枠状の第２連結体４２が一体形成されている。これら連結部４１，４２は互いに前後に離間しており、これら連結部４１、４２の間には、透明液晶ディスプレイ（以下、ディスプレイ５０と略称する。）が固設されている。従って、ディスプレイ５０はノブ３０の回動操作に連動して回動されるように構成されている。このディスプレイ５０は、設定温度の数値の各桁の数字を７つのセグメントにてポジ表示する所謂７セグメントディスプレイである。
【００１４】
また、基板１３の前面におけるディスプレイ５０に対応する位置には、発光ダイオード（ＬＥＤ）からなり、後面からディスプレイ５０を照明するバックライトとして機能する光源１４が固設されている。
【００１５】
図１〜図３に示すように、意匠パネル１２には、ディスプレイ５０が回動する範囲に対応した扇形状の窓１２ａが形成されている。
図２に示すように、基板１３の前面には、ノブ３０の回動操作に連動してディスプレイ５０に表示される設定温度の数値が増減されるように同ディスプレイ５０の表示態様を変更する制御部６０が設けられている。なお、制御部６０とディスプレイ５０とは、第２連結体４２の透孔４２ａを通って配置されたケーブル５１によって互いに電気的に接続されている。
【００１６】
制御部６０は、ノブ３０の正面視における時計回り方向（以下、単に時計回り方向と称する。）への回動操作に連動して、図１に示す中立位置にあるディスプレイ５０が図２に示す限界位置まで回動されたときに、このことをロータリスイッチ２０から出力される電気信号の変化に基づいて判断する。そして、制御部６０は、ディスプレイ５０に表示される設定温度の数値がそれまでの数値よりも所定値（例えば「１」）だけ増大されるようにディスプレイ５０の表示態様を変更する。
【００１７】
また、制御部６０は、ノブ３０の反時計回り方向への回動操作に連動して、上記中立位置にあるディスプレイ５０が図示しない限界位置まで回動されたときに、このことをロータリスイッチ２０から出力される電気信号の変化に基づいて判断する。そして、制御部６０は、ディスプレイ５０に表示される設定温度の数値がそれまでの数値よりも上記所定値だけ低減されるようにディスプレイ５０の表示態様を変更する。
【００１８】
次に、本実施形態の作用について説明する。
操作者が空調装置の設定温度を現在値の２５℃よりも上げるべく、図４（ａ）に示す中立位置にあるノブ３０を時計回り方向に回動させると、ノブ３０と一体にディスプレイ５０が回動される。そして、図２に示すようにディスプレイ５０がケース１１の内壁に突き当てられる位置、すなわち図４（ｂ）に示す増大側の限界位置まで回動されると、制御部６０によって、ディスプレイ５０に表示される設定温度がそれまでの「２５℃」よりも「１℃」だけ上げられるようにディスプレイ５０の表示態様が変更される。その結果、図４（ｃ）に示すように、上昇側の限界位置にあるディスプレイ５０には「２６℃」が表示されることとなる。
【００１９】
またこの状態において、操作者がノブ３０から手を離すと、復帰機構２２の作用によって、ノブ３０と共にディスプレイ５０が図４（ｄ）に示す中立位置に自動復帰される。
一方、空調装置の設定温度を下げるためには、中立位置にあるノブ３０を反時計回りに回動させてディスプレイ５０を低減側の限界位置まで回動させればよい。
【００２０】
以上説明した本実施形態に係る表示装置によれば、以下に示す効果が得られるようになる。
（１）表示装置１０は、回動可能な操作軸２１に連結されたノブ３０を備えるロータリスイッチ２０、ノブ３０に連結され、空調装置の設定温度（ロータリスイッチ２０の操作対象の設定値）を表示するディスプレイ５０を備える。また、表示装置１０は、ノブ３０の回動操作に連動してディスプレイ５０に表示される設定温度の数値が増減されるように同ディスプレイ５０の表示態様を変更する制御部６０を備える。
【００２１】
こうした構成によれば、操作者は、ノブ３０の回動操作に連動して設定温度の表示が回動され、その後に設定温度が変更される様子を視認することができる。従って、操作者に対してこれまでにない操作性と表示機能とを提供することができる。
【００２２】
（２）ロータリスイッチ２０は操作軸２１を中立位置に自動復帰させる復帰機構２２を備えている。
こうした構成によれば、操作者がノブ３０を回動操作した後に同ノブ３０から手を離すと、ノブ３０と共にディスプレイ５０が中立位置に自動復帰される。従って、ノブ３０の操作性を向上させることができる。
【００２３】
（３）ディスプレイ５０を覆う意匠パネル１２には、ノブ３０の回動操作に連動してディスプレイ５０が回動する範囲に対応した扇形状の窓１２ａが形成されている。また、ディスプレイ５０は透明液晶ディスプレイである。
【００２４】
こうした構成によれば、操作者には、意匠パネル１２に形成された窓１２ａを通じてディスプレイ５０、より詳しくはディスプレイ５０に表示される設定温度が見えることとなり、ディスプレイ５０における設定温度の周囲の部分や、ノブ３０とディスプレイ５０とを連結する連結部４１、４２などが見えることはない。このため、ノブ３０の回動操作に連動してディスプレイ５０が回動される演出を効果的に行なうことができる。
【００２５】
＜第２実施形態＞
以下、図５〜図７を参照して、第２実施形態について説明する。
図５に示すように、本実施形態では、ディスプレイ５０（以下、第１ディスプレイ５０と称する。）の後側に透明液晶ディスプレイ（以下、第２ディスプレイ１５２と略称する。）が設けられている点が先の第１実施形態と相違している。なお、先の第１実施形態と同一の構成については同一の符号を付すことにより、重複する説明を省略する。
【００２６】
すなわち、基板１１３の前面における光源１４の下側には、支持部材１１９が取り付けられている。また、支持部材１１９の先端には、第２ディスプレイ１５２が固定されている。第２ディスプレイ１５２は第１ディスプレイ５０と同一の形状をなしており、第１ディスプレイ５０の中立位置に対応する位置に設けられている。従って、第１ディスプレイ５０が中立位置にあるときには、第１ディスプレイ５０は第２ディスプレイ１５２と前後に重なり合っている。
【００２７】
基板１１３の前面における支持部材１１８の上側には、ノブ３０の回動操作に連動して第２ディスプレイ１５２に表示される設定温度の表示態様を変更する第２制御部１６２が設けられている。なお、第２制御部１６２と第２ディスプレイ１５２とは、支持部材１１８に形成された透孔１１８ａを通って配置されたケーブル１５３によって互いに電気的に接続されている。また、第２制御部１６２は、第１ディスプレイ５０の表示態様を変更する制御部６０（以下、第１制御部６０と称する。）と電気的に接続されている。
【００２８】
第１制御部６０は、ノブ３０の回動操作に連動して、第１ディスプレイ５０が増大側或いは低減側の限界位置まで回動されたときに、このことをロータリスイッチ２０から出力される電気信号の変化に基づいて判断する。このとき、第１ディスプレイ５０が非表示になるように第１ディスプレイ５０の表示態様を変更する。またこのとき、第２制御部１６２は、それまで第１ディスプレイ５０に表示されていた設定温度の数値よりも所定値（例えば「１」）だけ増減された後の数値が第２ディスプレイ１５２に表示されるように第２ディスプレイ１５２の表示態様を変更する。
【００２９】
次に、本実施形態の作用について説明する。
図６（ａ）に示すように、操作者が空調装置の設定温度を現在地の２５℃よりも上げるべく、タイミングｔ１において、図７（ａ）に示す中立位置にあるノブ３０を時計回り方向に回動させると、ノブ３０と一体に第１ディスプレイ５０が回動される。
【００３０】
そして、図６（ａ）に示すように、タイミングｔ２において、ノブ３０（第１ディスプレイ５０）が図７（ｂ）に示す増大側の限界位置になると、図６（ｂ）及び図７（ｃ）に示すように、第１ディスプレイ５０が非表示になる。またこのとき、図６（ｃ）及び図７（ｃ）に示すように、第２ディスプレイ１５２には、それまでの設定温度である「２５℃」よりも「１℃」だけ上げられた「２６℃」が表示される。第１ディスプレイ５０は透明液晶ディスプレイであるため、操作者には第２ディスプレイ１５２に表示される設定温度が第１ディスプレイ５０を透過して見えることとなる。
【００３１】
そして、図６（ａ）に示すように、タイミングｔ３において、操作者がノブ３０から手を離すと、復帰機構２２の作用によって、ノブ３０と共に第１ディスプレイ５０が反時計回り方向に回動される。
【００３２】
そして、図６（ａ）に示すように、タイミングｔ４において、ノブ３０と共に第１ディスプレイ５０が図７（ｄ）に示す中立位置に自動復帰されると、図６（ｂ）及び図７（ｄ）に示すように、それまで第２ディスプレイ１５２に表示されていた設定温度である「２６℃」が第１ディスプレイ５０に表示される。またこのとき、図６（ｃ）及び図７（ｄ）に示すように、第２ディスプレイ１５２が非表示になる。
【００３３】
以上説明した本実施形態に係る表示装置によれば、第１実施形態の効果（２）、（３）に加え、新たに以下に示す効果が得られるようになる。
（４）第１ディスプレイ５０の後側における同第１ディスプレイ５０の中立位置に対応する位置には、第２ディスプレイ１５２が回動不能に設けられている。第１制御部６０は、ノブ３０の回動操作に連動して、第１ディスプレイ５０が非表示になるように第１ディスプレイ５０の表示態様を変更する。また、第２制御部１６２は、増減後の設定温度が第２ディスプレイ１５２に表示されるように第２ディスプレイ１５２の表示態様を変更する。
【００３４】
こうした構成によれば、ノブ３０の回動操作をした直後に、回動されている第１ディスプレイ５０が非表示とされるとともに、常に中立位置にある第２ディスプレイ１５２に増減後の設定温度の数値が表示される。従って、中立位置において増減後の設定温度の数値を早期に表示することができ、視認性を高めることができる。
【００３５】
＜変形例＞
なお、本発明に係る表示装置は、上記実施形態にて例示した構成に限定されるものではなく、これを適宜変更した例えば次のような形態として実施することもできる。
【００３６】
・上記第２実施形態では、２つのディスプレイ５０，１５２の表示態様の変更を２つの制御部６０、１６２にそれぞれ行なわせるようにしたが、これに代えて、これらディスプレイ５０，１５２の表示態様の変更を１つの制御部に行なわせるようにすることもできる。
【００３７】
・第１実施形態におけるディスプレイ５０や第２実施形態における第２ディスプレイ１５２を有機ＥＬディスプレイなど透明液晶ディスプレイ以外のディスプレイに変更することもできる。
【００３８】
・上記各実施形態では、操作軸２１が中立位置に自動復帰される復帰機構２２を備えるロータリスイッチ２０について例示したが、こうした復帰機構を備えていないロータリスイッチに変更することもできる。
【００３９】
・上記各実施形態では、空調装置の設定温度を表示するための表示装置１０について例示したが、音響装置の音量を表示するものや、ラジオやテレビの選択局などを表示するものなどに対して本発明を適用することもできる。
【００４０】
・上記各実施形態では、ロータリスイッチ２０を備える表示装置１０，１１０について例示したが、スイッチはこれに限られるものではなく、例えば直線上を変位可能なノブを備えるスイッチを採用することもできる。この場合、ノブの操作に連動してディスプレイが直線上を変位するようにノブに対してディスプレイが連結されていればよい。
【符号の説明】
【００４１】
１０，１１０…表示装置、１１…ケース、１１ａ…開口、１２…意匠パネル、１２ａ…窓、１２ｂ…挿通孔、１３…基板、１４…光源、１８，１１８…支持部材、２０…ロータリスイッチ、２１…操作軸、２２…復帰機構、３０…ノブ、３１…内筒部、３２…外筒部、３３…頂壁、４１…第１連結体、４２…第２連結体、４２ａ…透孔、５０…ディスプレイ（第１ディスプレイ）、５１…ケーブル、６０…制御部、７１…インストルメントパネル、７２…開口、１１３…基板、１１８ａ…透孔、１１９…支持部材、１５２…第２ディスプレイ、１５３…ケーブル、１６２…第２制御部。
【図１】
2015087492.tif 000003
【図２】
2015087492.tif 000004
【図３】
2015087492.tif 000005
【図４】
2015087492.tif 000006
【図５】
2015087492.tif 000007
【図６】
2015087492.tif 000008
【図７】
2015087492.tif 000009